(57)【要約】【目的】上水や中水や雨水用の貯水槽に於いて全表面を緑化し、又、底部の貯水タンクの本体は、ガラスやプラスチック製の透明体とすることにより鯉や金魚等の淡水魚の飼育が可能であり、住民や通行人はその景観を損なうことなく、充分に観賞に耐えるような雰囲気を醸し出すことが出来るものであるようにする。そして経済的なイニシャルコストは勿論のこと、ランニングコストも安くてすむという利点があるようにする。【手段】各貯水タンク本体１´　相互を縦方向、及び、横方向に継手２や接手２’を介して所定段数連結接続し、大サイズの立体的なブロック体とすることが出来、展示会場のみならずイベント会場しても利用出来る。そして使用する灌水ポンプ６´や洗車ノズル１６´等に用いるコントローラー９を介し全自動的に使用することが出来るものである。【選択図】　　　　　図１
2004084289.tif 000002
【特許請求の範囲】
【請求項１】
少なくとも一基の貯水タンク本体の少なくとも一部が表面緑化されている貯水槽において、該少なくとも一基の貯水タンク本体が構造物の面として利用されていることを特徴とする貯水槽構造。
【請求項２】
上記構造物がオフィスビルや劇場や駅やデパート等の商業ビルやマンション等の集合住宅や工場や研究所や住宅等や、公園や遊園地や庭園や広場や歩道橋や橋等のいずれかの構造物の壁面として利用されていることを特徴とする請求項１記載の貯水槽構造。
【請求項３】
上記貯水タンク本体がフェンスやガードレールや防音壁や中央分離帯の構造物として利用されていることを特徴とする請求項１記載の貯水槽構造。
【請求項４】
上記貯水タンク本体が雨水利用のものにされていることを特徴とする請求項１記載の貯水槽構造。
【請求項５】
上記貯水タンク本体が所定の継手を介して縦方向、又は、横方向に所定数複数ブロック体に連接結合されていることを特徴とする貯水槽構造。
【請求項６】
上記貯水タンク本体が所定の接手の凹凸嵌合を介して縦方向、又は、横方向に所定数複数ブロック体に連接結合されていることを特徴とする請求項１記載の貯水槽構造。
【請求項７】
上記の貯水タンク本体が雨水を貯蔵するようにされていることを特徴とする請求項１記載の貯水槽構造。
【請求項８】
上記少なくとも一基の貯水タンク本体が自己緑化されていることを特徴とする請求項１〜７いずれか記載の貯水槽構造。
【請求項９】
上記各貯水タンク本体の表面緑化された緑化物が取替自在にされていることを特徴とする請求項１〜８いずれか記載の貯水槽構造。
【請求項１０】
前記貯水タンク本体の少なくとも一基に浄化機能が付与されるようにされていることを特徴とする請求項１〜９いずれか記載の貯水槽構造。
【請求項１１】
前記貯水タンク本体の少なくとも一基が養魚槽にされていることを特徴とする請求項１記載の貯水槽構造。
【請求項１２】
上記貯水タンク本体の躯体が透明にされていることを特徴とする請求項１〜１１記載の貯水槽構造。
【請求項１３】
上記貯水タンク本体が貯水の滲出機能を有することを特徴とする請求項１記載の貯水槽構造。
【請求項１４】
上記貯水タンク本体が複重穀にされていることを特徴とする請求項１記載の貯水槽構造。
【請求項１５】
上記複重穀の貯水タンク本体の基体の躯体がその表面を緑化されていることを特徴とする請求項１４記載の貯水槽構造。
【請求項１６】
上記貯水タンク本体の少なくとも一部が表面緑化されていることを特徴とする請求項１〜１５いずれか記載の貯水槽構造。
【発明の詳細な説明】
【０００１】
【産業上の利用分野】
開示技術は、ヒートアイランド現象対策や環境保全対策として上水や中水や雨水等を貯留する槽を植生マットやポケットプランター等の植生によって表面緑化して緑化の有効利用が図れ、景観破壊が少なく施工がし易く、外観的にも優れ、コスト的に安くつく貯水槽の技術分野に属する。
【０００２】
【従来の技術】
近時ヒートアイランド現象対策や環境保全対策として屋上緑化や壁面等の塀面の緑化等の構造物の表面の緑化が広く盛んに行われ、そのうち環境対策の一環として上水や中水や雨水等の貯留槽が構築されているが、かかる手段としては都市部等に於いては利用面積が充分でなく、狭い場合が多く、又、このような事情から設置が難しくて実現出来ない態様が多い。
【０００３】
【発明が解決しようとする課題】
而して、これに対処する技術としては先願発明である特願２０００−３２２１４０号（非公開）発明に示されているように、景観上の点からも上水や中水や雨水等の貯水槽等の設置がし難いという難点があった。
【０００４】
而して、これらのさまざまな制約が克服されてヒートアイランド対策等が可能となっても、コスト的にもイニシャルコストが高くついて経済的に見合わないという不利点もあった。
【０００５】
又、設置が可能であっても景観上見栄えが悪くなるというマイナス点もあった。
【０００６】
したがって、本来的な目的は極めて有効ではあるものの、実使用、利用に際しては経済的にも成り立たなく、実施が充分で行き渡らないというネックがあった。
【０００７】
【発明の目的】
この出願の発明の目的は上述従来技術に基づくヒートアイランド現象対策や環境保全対策としての上水や中水や雨水の貯水運転の実使用がコスト的にも出来難いという問題点を解決すべき技術的課題とし、コスト的にも充分に見合い、土地の有効利用が可能で敷地的も充分可能であり、景観上も問題が無く、施工もし易く、能率的な使用が可能であるようにして建設産業における土木工事技術利用分野に益する優れた貯水槽を提供せんとするものである。
【０００８】
【発明が解決しようとする手段】
上述目的に沿い先述特許請求の範囲を要旨とするこの出願の発明の構成は、前述課題を解決するために、少なくとも一基の貯水タンク本体が表面緑化されている貯水槽であって、該少なくとも一基の貯水タンク本体がオフィスビルや劇場や駅やデパート等の商業ビルやマンション等の集合住宅や工場や研究所や住宅等や、公園や遊園地や庭園や広場や歩道橋や橋等のいずれかの構造物の壁面として利用されているようにすることを基幹とし、又、上記貯水タンク本体がフェンスやガードレールや防音壁や中央分離帯の構造物として利用されているようにし、上記貯水タンク本体が雨水利用のものにされているようにし、又、上記貯水タンク本体が所定の継手や実やほぞを有する（凹凸部）の接手を介して縦方向、又は、横方向に所定数の所定大サイズの複数ブロック体に連接結合されているようにし、又、上記貯水タンク本体が雨水を貯蔵するようにされているようにし、更に、上記少なくとも一基の貯水タンク本体が自己緑化されているようにもし、更に又、上記各貯水タンク本体の表面緑化された緑化物が取替自在にされているようにし、加えて、前記貯水タンク本体の少なくとも一基に浄化機能を付与するようにされているようにもし、更に加えて、前記貯水タンク本体の少なくとも一基が養魚槽にされているようにし、そして、その場合上記貯水タンク本体の躯体が透明にされているようにし、そして、その上に、該貯水タンク本体がドリップパイプやリーキーパイプや毛細管による貯水の滲出機能を有するようにし、更に、又、上記貯水タンク本体が複重穀のものにされているようにし、そして、上記複重穀の貯水タンク本体の基体の躯体がその表面を緑化されているようにし、そして上記貯水タンク本体の少なくとも一部が表面緑化されているようにもした技術的手段を講じたものである。
【０００９】
【作用】
上述構成において、ヒートアイランド現象対策とし、又、土地の有効利用対策ともし、各個に設ける上水や中水や雨水等の貯水タンク本体を横方向、或いは、縦方向に継手や実、ほぞを有する凹凸嵌合タイプの接手を介して所定サイズのブロック体に所定大サイズに形成し、且つ、該貯水槽を鯉や金魚等の淡水魚の養魚槽とし、該貯水槽をその表面を緑化自在にする植生マットやポケットプランターやドリップパイプやリーキーパイプや毛細管を有する灌水により表面緑化を行ったり、景観対策も良好にし、又、その緑化物が所定タイミングで取替が自在に行われるようにし、更に、貯水タンク本体の少なくとも一基が浄化機能を有するようにされてカビや藻の発生を防止するように活性炭やニューセラミック等の浄化剤を含有させて貯水槽タンクの躯体を透明にし、鯉や金魚等の淡水魚等の浮遊を外視鑑賞するようにし、景観対策の一助になるようにし、イニシャルコストは勿論のこと、ランニングコストも充分にメリットがあるようにし、敷地面積の制限の制約もなく、その有効利用が図れ、景観問題もクリアーし、ヒートアイランド現象対策にも充分であるようにしたものである。
【００１０】
【発明が実施しようとする形態】
この出願の発明の実施しようとする形態を実施例の態様として図面を参照して説明すれば以下の通りである。
【００１１】
図１に示す実施形態の態様において、１は所定形状の直方体型のユニットブロック体としての貯水槽であり、縦方向、及び、横方向に所定数の継手２や実、及び、ほぞ等の凹凸溝の嵌合による接手２’を介して相互に所定数結合接続されて具体的な大きめのブロック形状にされているものである。
【００１２】
当該立体的な大サイズのブロック形状の貯水槽１´については具体的に支柱は何等介装されていないようにするものである。
【００１３】
縦方向、及び、横方向の接続連結については各ユニットの貯水槽１の側面、及び、上面に添設した図２に示す様に、例えば、前述セダムシート製等の植生マット７を介してそのフレームを所定の継手２や実やほぞ等の凹凸接手２´を介して所定の大ブロック状に各貯水タンク本体１´を所定段数複段に連結させるようにすることが可能である。
【００１４】
尚、貯水槽１全体の表面に対する緑化は上記セダムシート等の植生マット７による植生を介して全面ベタ状に植物を育成させることも出来るものであるが、又、所定形状の小型のポケットプランター７´　を図１に示す様に適宜なハンガーを介して懸吊的に側面等に引っ掛けておき、所定タイミングで取替が自在であるようにして継続的に植生を図るようにすることも可能である。又、貯水槽１は複重穀タイプにして内側の貯水タンク本体１´の基体の躯体からも毛細管等の水の滲出を介して植生緑化を図ることも可能である。
【００１５】
灌水通路１５に於いては、図１に示す様に、上部の雨樋１０から通路１１を介してユニット貯水槽１に分岐し接続するようにするものであり、又、態様によっては動力ポンプ６´を介して、図５に示す様にスプリンクラー１６と同時にヘッダー１５を介して各貯水タンク本体１´にドリップパイプやリーキーパイプ等により灌水することが可能である。
又、毛細管等による灌水により植生緑化することも可能である。
【００１６】
各貯水槽１に於いては図２に示す様に、開閉扉１８を設けて作業員や点検作業員が適宜に外部から内部に出入り可能にすることは出来るものであり、該開閉扉１８も、又、植生マット７やポケットプランター７´　を介して全面的な緑化が成されるようにされているものである。
【００１７】
そして最下段の貯水タンク本体１´　に於いては当該図２に示す様に、側面植生マット７の基体の躯体としての貯水タンク本体１´が所定形状のガラス、又は、透明プラスチック製等の透明の材質によって養魚槽１´´とされて鯉や金魚等の淡水魚１８が飼育されて、その飼育状態や浮遊状態が外視されて鑑賞自在にされているようにすることが可能である。
【００１８】
尚、図１に示す実施形態において、１２はぐり石であり、隣設する家屋等の構築物６やその門柱５の基礎に使われたり、各ユニット貯水タンク本体１’の基礎として敷設するようにされている。
【００１９】
而して、貯水層１においては、図５に示す様に、スプリンクラー１６やヘッダー１５からの灌水ライン１５´に対するポンプ６´や洗車等の注水ノズル１６´に対する給水を電気的に行う態様とされるようにされている。尚、毛細管による灌水や給水は何等動力を必要としないものである。
【００２０】
又、最下段の養魚槽１´　´に於いて、図２に示す様に、飼料等の収納箱１７の蓋を自動開閉するように作動することが出来るようにされている。
【００２１】
そして、図５に示す様に灌水ライン１５´　のヘッダー１５からは各灌水ライン１５´　が貯水槽１の表面側の植生マット７やポケットプランター７´　に対して所定に接続されて給水することが自在であるようにされている。
【００２２】
而して、この出願の発明の貯水層１は図１に示す様に、個人の構造物としての邸宅６の壁面等の塀面として門柱５に並べて立設するものを面として用いるものとしても良いものである。
【００２３】
尚、その場合には、当該図１，図３に示す様に、最上部の貯水タンク本体１´の上面から立設したフェンス１１には、つたやかずら等の植物１３を絡ませて植生させた構造物として配設させても良い。
【００２４】
当該フェンス１１に対するつたやかずら等の植物１３の緑化は上述同様に灌水通路１５をその根元等に沿わせて水分の補給や灌水を行うことが可能である。
【００２５】
所定サイズの直方体型等の貯水槽１にあっては空間的に支柱等はなく空間毎に展示場としてイベント開催等に用いることはまた自由である。
【００２６】
その際、観客や入場者は貯水槽１の全表面に対する植物による緑化でいやされ、又、養魚槽１´　内の淡水魚１８も観賞することも出来る。
【００２７】
尚、灌水ライン１５´　としてはリーキードリップパイプやリーキーノズルや毛細管による給水態様も採用可能である。
【００２８】
又、養魚槽１´　の内部には所定の水を循環させる循環ポンプ６´等が各貯水槽タンク本体１´　毎に設けられていても、又、連通式に相互に接続されていも良いものである。
【００２９】
そして、当該養魚槽１´´は植物緑化が成された貯水タンク本体１´とは各々別体にされるが、その相互は継手２や接手２´により相互連結接続する設計的にも、又、施工状も周公知の技術的事項である。
【００３０】
各、貯水槽１の全表面に対する植生マット７等に対する交換やポケットプランター７´　における交換に対する交換等は適宜のタイミングで行われるものである。
【００３１】
そして最上段の貯水タンク本体１´の上部のフェンス１１に対するつたやかずら１３や、又、植生マット７やポケットプランター７´　等の植物に対する給水はコントローラー９等により適宜に操作、或いは、自動式に行うことが出来るものである。
【００３２】
貯水タンク本体１´　に対する内部の点検や修理捕集等に際しては開閉扉１８を開閉して適宜に出入りしてこれに対処することが出来るものである。
【００３３】
当該貯水層１は養魚槽１´´の鯉や金魚等の淡水魚１８等を適宜に観賞することが出来るものである。
【００３４】
そして、該養魚槽１´´の水は図４に示す様に、道路１４の側溝や近辺の池等の系外からの水１５´´をポンプ等を介して灌水的に貯水することも出来る。
【００３５】
この出願の発明の実施形態は上述態様に限らず、例えば、灌水はドリップパイプやリーキーパイプの他に毛細管や継手２以外に凹凸接手２’の嵌合方式などを採用する等種々の態様が採用可能である。
【００３６】
この出願の発明に用いる植生マット７には次述のものを含有することが望ましい。
【００３７】
この出願の発明の植生マット７に用いられる好ましい肥料はコーヒー滓、樹脂コーティング肥料、水難溶性肥料、粒状の有機肥料（万理（商品名））であるが、その添加量は床土１０の重量に対し、０．１〜１０％が好ましく、０．５〜５％がより好ましい。
【００３８】
そして、この出願の発明の植生マット７に用いられる好ましい土壌菌等は菌根菌類、窒素固定細菌、ＶＡ菌根菌、アゾ菌類、アゾスピルラム菌（Ｄｒ．キンコン（商品名））、フランキア菌、マメ科根粒菌、ブリオ種であるが、その添加量は床土１０の重量に対し０．１〜１０％が好ましく、０．５〜５％がより好ましい。
【００３９】
そして、この出願の発明の植生マット７に用いられる好ましい土壌改良材としては、ピートモス、バーライト、バーミキュライト、珪藻土組成物、バーク、パーライト、ゼオライト、ロックウール、スポンジ、ヤシ殻、クリプトモス日高砂等の軽石類、古紙成分、植物質天然有機物（ピートモス鋸屑、籾殻、バガス、間伐材、）水苔粉末、ヤシ髄粉末、パルプ繊維、種子リンター、層状粘土鉱物、多孔質鉱物、沸石類（ゼオライト）、モンモリロナイト系の粘土系鉱物、木炭，活性炭，石，れき，コンクリート等、多孔質鉱物（シリカ、アルミナ、ウィスカー等の結晶性化合物、珪藻土のような堆積物）が挙げられる。
【００４０】
又、この出願の発明の植生マット７に用いられる好ましい保水材としては古紙成分、植物質天然有機物（ピートモス、鋸屑、籾殻、バガス、間伐材、コーヒー滓）苔粉末、ヤシ髄粉末、パルプ繊維、種子リンター、層状粘土鉱物、多孔質鉱物、沸石類（ゼオライト）、モンモリロナイト系の粘土系鉱物、多孔質鉱物（シリカ、アルミナ、ウィスカー等の結晶性化合物、珪藻土のような堆積物）、ポリエチレンオキサイド、ポリウレタン、酢酸ビニール、アクリル樹脂やこれらの共重合体、特開平１０−１９１７７７、１２８１０８、９４７２９号公報記載の高分子ような親水性の合成高分子、親水性の天然高分子等が好ましく用いられる。
【００４１】
この出願の発明の植生マット７に用いる好ましい繊維粗材は綿，麻，セルロース，ジュート、毛，絹等の天然繊維，カーボン繊維，アセテート，レーヨン等の再生繊維，ポリエステル，ポリアミド（ナイロン），アクリル等の合成繊維が採用可能である。　又、綿，麻，セルロース，ジュート，毛，絹等の天然繊維，合成繊維のカーボン繊維，アセテート，レーヨン等の再生繊維がより好ましく、綿，麻，セルロース，ジュート，レーヨン，アセテートがさらに好ましく、綿，麻，セルロース，ジュートが特に好ましい。そして、剛性の強い層にはジュートを含有するのが好ましい。
【００４２】
そして又、この出願の発明の植生マット７に用いられる好ましい植物はセダム類のみならず、例えば、ハーブ類，蘚苔類が好ましい。したがって、適用対象の植物は同じ植物が１種のみの態様に於て混在させるのが最も好ましく、３種類でも好ましく、５種類以上でも好ましい。混在させる場合は高温に強いものと低温に強いもの，乾燥に強いものと高温に強いもの，セダム類一種でも複数の品種を組み合わせるのが好ましい。好ましい組み合わせ例としてはセダム類とハーブ類と蘚苔類があるが、特に好ましい組み合わせは（出願人の現在ベストのものを記載）セダムアルバム，サガサマンネングサ，セダムスプリューム，タイトゴメ，メキシコマンネングサ，マルバマンネングサ，オオバマルバマンネングサ，キリンソウ，ナデシコ，アリューム等で、又、これ以外の種の植物も適用可能であり、又、セダム類との組み合わせである等も採用可能である。
【００４３】
【発明の効果】
以上、この出願の発明によれば、基本的に建造物同様に一種の壁面等の塀面として貯水槽が利用出来る為に、敷地等の面積部分が有効利用出来、又、有効利用面積部分の提供が容易に可能であり、行政面からも費用負担等の援助も可能であり、したがって、イニシャルコストも周公知技術を用いて容易に行え、メンテナンスコスト、ランニングコスト等も殆どかからないという利点がある。
【００４４】
そして、群設する貯水槽が表面緑化されているために景観が損なわれること無く外観的にも見栄えが良いという効果がある。
【００４５】
加えて、群設する貯水槽が雨水利用にされていることにより貯水が天然降水により常時給水状態を満足出来、中水等の利用が随時行われるという効果がある。
【００４６】
そして住人や通行人は当該貯水槽の全表面に覆っている緑化植物により気分を癒され、又、景観が損なわれることなく、養魚槽により当該養魚槽に飼育されて浮遊する鯉や金魚等の淡水魚等を観賞出来るという副次的効果もある。
【００４７】
そして、貯水層には自己浄化機能が付与されていることにより当該清澄水にされるような効果を有するものである。
【図面の簡単な説明】
【図１】この出願の発明の貯水槽全体の概略側面図である。
【図２】連結される貯水槽の継手や接手を介しての接合態様の概略側面図である。
【図３】植生態様の拡大側面図である。
【図４】貯水利用の態様の概略機構図である。
【図５】動力利用概略機構図である。
【符号の説明】
１８´　　　浄化剤
１８　　　淡水魚
１　　　　貯水槽
６´　　　ポンプ
１´´　　　養魚槽
７´　　　　ポケットプランター
２　　　　継手（接手）
２’　　　　接手
１５　　　灌水ライン
【図１】
2004084289.tif 000003
【図２】
2004084289.tif 000004
【図３】
2004084289.tif 000005
【図４】
2004084289.tif 000006
【図５】
2004084289.tif 000007
【手続補正書】
【提出日】平成14年9月5日(2002.9.5)
【手続補正１】
【補正対象書類名】図面
【補正対象項目名】全図
【補正方法】変更
【補正の内容】
【図１】
2004084289.tif 000008
【図２】
2004084289.tif 000009
【図３】
2004084289.tif 000010
【図４】
2004084289.tif 000011
【図５】
2004084289.tif 000012